【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
ポータブル振動生成装置であって、
外面と、少なくとも１つのモータ支持構造を含む内面と、を有する第一半球状シェルと、
外面と、少なくとも１つのバッテリ支持構造及び少なくとも１つの回路基板支持構造を含む内面と、を有する第二半球状シェルと、
第一端部及び第二端部を有するシャフトを有するモータと、
前記シャフトの前記第一端部に固定された第一偏心質量と、前記シャフトの前記第二端部に固定された第二偏心質量と、
前記第二半球状シェルの前記バッテリ支持構造に固定されたバッテリアセンブリと、
前記第二半球状シェルの前記回路基板支持構造に固定された回路基板アセンブリと、
少なくとも第一電気コネクタと少なくとも第二電気コネクタと、を有し、
球状のボールを形成するために、前記前記第二半球状シェルは前記第一半球状シェルと赤道平面において機械的に結合可能であり、
前記モータは、前記第一半球状シェルの前記モータ支持構造上に位置決めされるとともに、前記モータが前記モータ支持構造に対して動くことを抑制するために前記モータ支持構造に固定され、
前記モータは、前記赤道平面と交わっており、
前記シャフトは、その全体が前記第一半球状シェル内に位置するよう前記赤道平面と平行でありかつ前記赤道平面からオフセットされており、
前記回路基板アセンブリは、前記バッテリアセンブリから電気エネルギーを受けるために前記バッテリアセンブリに電気接続されており、
前記回路基板アセンブリは、モータ駆動信号を生成するよう構成され、
前記第一電気コネクタと前記第二電気コネクタは、前記第一半球状シェルが前記第二半球状シェルに結合したときに係合するよう構成され、
前記第一電気コネクタ及び前記第二電気コネクタは、前記回路基板アセンブリから前記モータに前記モータ駆動信号を伝えるよう構成されている
ことを特徴とするポータブル振動生成装置。
【請求項２】
前記球状のボールの重心が前記赤道平面の近くに位置するよう、前記モータは前記第一半球状シェル内に配置されるとともに、前記バッテリアセンブリ及び前記回路基板アセンブリは前記第二半球状シェル内に配置されることを特徴とする請求項１に記載のポータブル振動生成装置。
【請求項３】
前記第一半球状シェルの上に配置された第一アウタカバーと、前記第二半球状シェルの上に配置された第二アウタカバーと、をさらに含むことを特徴とする請求項１に記載のポータブル振動生成装置。
【請求項４】
前記第一半球状シェル及び前記第一アウタカバーは、前記第一アウタカバーが前記第一半球状シェルの上に配置されたときに前記第一半球状シェルに対する前記第一アウタカバーの動きを抑制する相互係止構造の各自のパターンを含み、
前記第二半球状シェル及び前記第二アウタカバーは、前記第二アウタカバーが前記第二半球状シェルの上に配置されたときに前記第二半球状シェルに対する前記第二アウタカバーの動きを抑制する相互係止構造の各自のパターンを含む
ことを特徴とする請求項３に記載のポータブル振動生成装置。
【請求項５】
手動作動可能スイッチをさらに含み、
前記回路基板アセンブリが、前記モータの動作モードを選択するために前記スイッチの動作に応答するよう構成され、
前記回路基板アセンブリが、前記第一偏心質量及び前記第二偏心質量によって第一振動数での振動を生成するために第一動作モードにおいて第一回転速度で前記モータを選択的に駆動させるよう構成され、
前記回路基板アセンブリが、前記第一偏心質量及び前記第二偏心質量によって第二振動数での振動を生成するために第二動作モードにおいて第二回転速度で前記モータを選択的に駆動させるよう構成されている
ことを特徴とする請求項１に記載のポータブル振動生成装置。
【請求項６】
前記回路基板アセンブリが、前記第一偏心質量及び前記第二偏心質量によって第三振動数での振動を生成するために第三動作モードにおいて第三回転速度で前記モータを選択的に駆動させるよう構成されていることを特徴とする請求項５に記載のポータブル振動生成装置。
【請求項７】
前記動作モードが前記ポータブル振動生成装置の手動作動可能スイッチに応答して選択されることを特徴とする請求項５に記載のポータブル振動生成装置。
【請求項８】
前記動作モードがワイヤレス通信インターフェースを介して受信された信号に応答して選択されることを特徴とする請求項５に記載のポータブル振動生成装置。
【請求項９】
前記ワイヤレス通信インターフェースがＢｌｕｅｔｏｏｔｈ（登録商標）インターフェースであることを特徴とする請求項８に記載のポータブル振動生成装置。
【請求項１０】
前記第一半球状シェル及び前記第二半球状シェルは、前記第一半球状シェルと前記第二半球状シェルとを各自の合わせ面において互いに整列させるために係合する合わせ整列構造を含み、
前記第一半球状シェルが、前記第一電気コネクタを前記第一半球状シェル内の各自の固定既知位置に位置決めする第一コネクタ支持体を含み、
前記第二半球状シェルが、前記第二電気コネクタを前記第二半球状シェル内の各自の固定既知位置に位置決めする第二コネクタ支持体を含み、
前記合わせ整列構造が係合したときに前記モータと前記回路基板アセンブリとを電気的に相互接続するために前記第一電気コネクタが前記第二電気コネクタに係合するよう、第一コネクタ支持体と第二コネクタ支持体とが互いに整列されるよう構成されている
ことを特徴とする請求項１に記載のポータブル振動生成装置。
【請求項１１】
前記第一半球状シェルが、電気エネルギー源からの電源アダプタプラグを選択的に受け入れるよう構成された電源アダプタジャックを含み、
前記第一半球状シェルが、前記電源アダプタジャックに電気接続された第三電気コネクタを含み、
前記第二半球状シェルが、前記回路基板アセンブリに電気接続された第四電気コネクタを含み、
前記第一半球状シェルが、前記第一半球状シェル内の各自の固定既知位置に前記第三電気コネクタを位置決めする第三コネクタ支持体を含み、
前記第二半球状シェルが、前記第二半球状シェル内の各自の固定既知位置に前記第四電気コネクタを位置決めする第四コネクタ支持体を含み、
前記合わせ整列構造が係合したときに前記電源アダプタジャックと前記回路基板アセンブリとを電気的に相互接続するために前記第四電気コネクタが前記第三電気コネクタに係合するよう、前記第三コネクタ支持体と前記第四コネクタ支持体とが互いに整列されるよう構成されている
ことを特徴とする請求項１０に記載のポータブル振動生成装置。
【請求項１２】
下極を有する第一半球状シェルと、上極を有する第二半球状シェルと、前記下極と前記上極との間に延びる極軸と、前記第一半球状シェルと前記第二半球状シェルとを機械的に相互接続するための複数の固定具と、を備えた振動ボールであって、
前記第一半球状シェルは、
第一端部及び第二端部を有するシャフトと、電源入力と、を有する電気モータと、
前記シャフトの前記第一端部に固定された第一偏心質量と、
前記シャフトの前記第二端部に固定された第二偏心質量と、
前記電気モータの前記電源入力に電気接続された第一電気コネクタと、を収容するよう構成され、
前記電気モータは、前記極軸を中心にして配置され、
前記シャフトは、前記極軸に直交するとともに、その全体が前記第一半球状シェル内に位置するよう配置され、
前記第二半球状シェルは、
前記極軸を中心にして配置されたバッテリと、
前記バッテリから電力を受け取るとともに、モータ制御出力上にモータ制御信号を生成する制御回路アセンブリと、
前記モータ制御出力上において前記モータ制御信号を受けるために前記モータ制御出力に電気接続された第二電気コネクタと、を収容するよう構成され、
前記第二電気コネクタは、前記第一電気コネクタと合わされるよう構成され、
前記モータ制御回路の前記モータ制御出力を前記電気モータの前記電源入力に電気接続するために前記第一半球状シェルが前記第二半球状シェル接続されたときに、前記第一電気コネクタが前記第二電気コネクタに係合するよう構成されている
ことを特徴する振動ボール。
【請求項１３】
前記第一半球状シェルは複数の整列構造を含み、
前記第二半球状シェルは、対応する複数の相手側整列構造を含み、
前記第一電気コネクタを前記第二電気コネクタと整列させるために前記第一半球状シェルと前記第二半球状シェルとが取り付けられたときに、前記整列構造同士が係合するよう構成された
ことを特徴する請求項１２に記載の振動ボール。
【請求項１４】
前記第一半球状シェルが、電源に接続可能な電源アダプタジャックと、前記電源アダプタジャックに電気接続された第三電気コネクタと、を含み、
前記第二半球状シェルが、前記制御回路アセンブリに電気接続された第四電気コネクタを含み、
前記第四電気コネクタは、前記第三電気コネクタと接続するよう構成され、
前記制御回路アセンブリは、前記バッテリを選択的に充電するために、前記電源アダプタジャックから前記第三及び第四電気コネクタを介して受け取った電力に応答するよう構成されている
ことを特徴する請求項１２に記載の振動ボール。
【請求項１５】
前記第二半球状シェルが、前記制御回路アセンブリに電気接続された複数の発光ダイオードをさらに含み、
各前記発光ダイオードが、前記振動ボールのステータスを示すために、前記制御回路アセンブリによって選択的に作動されるよう構成されている
ことを特徴する請求項１２に記載の振動ボール。
【請求項１６】
前記第一半球状シェルの上に配置された第一アウタカバーと、前記第二半球状シェルの上に配置された第二アウタカバーと、をさらに含むことを特徴する請求項１２に記載の振動ボール。
【請求項１７】
前記第一半球状シェル及び前記第一アウタカバーが、前記第一アウタカバーが前記第一半球状シェルの上に配置されたときに前記第一半球状シェルに対する前記第一アウタカバーの動きを抑制する相互係止構造の各自のパターンを含み、
前記第二半球状シェル及び前記第二アウタカバーが、前記第二アウタカバーが前記第二半球状シェルの上に配置されたときに前記第二半球状シェルに対する前記第二アウタカバーの動きを抑制する相互係止構造の各自のパターンを含む、
ことを特徴する請求項１６に記載の振動ボール。
【請求項１８】
振動ボールを組み立てるための方法であって、前記方法が、
第一半球状シェル内に、第一電気コネクタに電気接続された電気モータを固定する工程と、
第二半球状シェル内に、第二電気コネクタにモータ制御信号を与えるよう構成された制御回路アセンブリ及びバッテリを固定する工程と、
前記第一半球状シェルと前記第二半球状シェルを整列させるために前記第一電気コネクタと前記第二電気コネクタを少なくとも部分的に係合させる工程と、
前記第二半球状シェルを前記第一半球状シェルに固定する工程と、を含み、
前記電気モータが、前記電気モータの第一端及び第二端からそれぞれ延びる第一端部及び第二端部を有するシャフトを含み、
前記シャフトの前記第一端部及び前記第二端部の各々には、前記第一端部及び前記第二端部に固定された各自の偏心質量を有し、
前記制御回路アセンブリは、前記バッテリから電力を受け取るよう電気接続され、
前記第一電気コネクタはバレルジャック及びバレルプラグのうちの一方であり、前記第二電気コネクタは前記バレルジャック及び前記バレルプラグのうちの他方であり、
前記第二電気コネクタは、前記第一電気コネクタに選択的に接続されるよう構成され、
前記第二半球状シェルを前記第一半球状シェルに固定する工程において、前記第一電気コネクタを前記第二電気コネクタに接続することにより前記モータを前記制御回路アセンブリに電気的に相互接続する
ことを特徴する振動ボールを組み立てるための方法。
【請求項１９】
前記モータの第一重心が前記赤道平面から第一距離離れるよう前記モータが前記第一半球状シェル内に配置され、
前記モータの第一質量と前記第一距離との第一の積により、前記赤道平面に対する第一モーメントが定義され、
前記バッテリアセンブリ及び前記回路基板アセンブリは、足し合わされた第二質量を有するとともに、第二重心を有し、
前記バッテリアセンブリ及び前記回路基板アセンブリは、前記第二重心が前記赤道平面から第二距離離れるよう前記第二半球状シェル内に配置され、
前記バッテリアセンブリ及び前記回路基板アセンブリの前記足し合わされた第二質量と前記第二距離との第二の積により、前記赤道平面に対する第二モーメントが定義され、
前記第二距離は前記第一距離よりも大きく、
前記足し合わされた第二質量は前記第一質量よりも小さく、
前記第一モーメントと前記第二モーメントは前記赤道平面の周りで実質的にバランスがとれている
ことを特徴とする請求項２に記載のポータブル振動生成装置。
【請求項２０】
前記電源アダプタジャックは前記極軸を中心に配置されていることを特徴とする請求項１４に記載の振動ボール。